(57)【要約】【課題】無線通信システムにおいてタイマーのデフォルト値を設定する方法及び装置を提供する。【解決手段】本発明による方法は、リセットタイマーのデフォルト値を第一値に設定し、状態報告禁止タイマー、ポーリング禁止タイマー、及びポーリングタイマーのデフォルト値を第二値に設定するステップからなる。【選択図】図３
2007300647.tif 000002
【特許請求の範囲】
【請求項１】
無線通信システムにおいて複数のタイマーのデフォルト値を設定する方法であって、
リセットタイマーのデフォルト値を第一値に設定し、
状態報告禁止タイマー、ポーリング禁止タイマー、及びポーリングタイマーのデフォルト値を第二値に設定するステップからなることを特徴とするタイマーのデフォルト値設定方法。
【請求項２】
前記第一値と第二値はいずれもラウンドトリップ時間（ＲＴＴ）より大きいかそれに等しいことを特徴とする請求項１記載のタイマーのデフォルト値設定方法。
【請求項３】
前記第一値と第二値は同じであることを特徴とする請求項１記載のタイマーのデフォルト値設定方法。
【請求項４】
前記第一値と第二値は２００ｍｓであることを特徴とする請求項３記載のタイマーのデフォルト値設定方法。
【請求項５】
前記第一値と第二値は１００ｍｓであることを特徴とする請求項３記載のタイマーのデフォルト値設定方法。
【請求項６】
前記第一値と第二値は互いに異なることを特徴とする請求項１記載のタイマーのデフォルト値設定方法。
【請求項７】
前記第一値は３００ｍｓであり、第二値は２００ｍｓであることを特徴とする請求項６記載のタイマーのデフォルト値設定方法。
【請求項８】
前記無線通信システムは第三世代移動通信システムであることを特徴とする請求項１記載のタイマーのデフォルト値設定方法。
【請求項９】
無線通信システムにおいてタイマーのデフォルト値を設定する通信装置であって、
通信装置の機能を実現させる制御回路と、
制御回路の中に設けられ、プログラムコードを実行して制御回路を制御する中央処理装置（ＣＰＵ）と、
制御回路の中でＣＰＵと結合されるように設けられ、プログラムコードを保存するための保存装置とを含み、そのうちプログラムコードは、
リセットタイマーのデフォルト値を第一値に設定し、
状態報告禁止タイマー、ポーリング禁止タイマー、及びポーリングタイマーのデフォルト値を第二値に設定するステップを含むことを特徴とする通信装置。
【請求項１０】
前記第一値と第二値はいずれもラウンドトリップ時間（ＲＴＴ）より大きいかそれに等しいことを特徴とする請求項９記載の通信装置。
【請求項１１】
前記第一値と第二値は同じであることを特徴とする請求項９記載の通信装置。
【請求項１２】
前記第一値と第二値は２００ｍｓであることを特徴とする請求項１１記載の通信装置。
【請求項１３】
前記第一値と第二値は１００ｍｓであることを特徴とする請求項１１記載の通信装置。
【請求項１４】
前記第一値と第二値は互いに異なることを特徴とする請求項９記載の通信装置。
【請求項１５】
前記第一値は３００ｍｓであり、第二値は２００ｍｓであることを特徴とする請求項１４記載の通信装置。
【請求項１６】
前記無線通信システムは第三世代移動通信システムであることを特徴とする請求項９記載の通信装置。
【発明の詳細な説明】
【技術分野】
【０００１】
本発明は無線通信システムにおいてタイマーのデフォルト値を設定する方法及び装置に関し、特にリセットプロセスの遅延を軽減させ、通信プロトコルで定められたタイマーのデフォルト値が一致しないことによる問題を解消する方法及び装置に関する。
【背景技術】
【０００２】
第三世代移動通信技術はＷＣＤＭＡ（広帯域符号分割多元接続）方式で高いスペクトル利用効率、カバー率、通話品質及び高速伝送を実現させるとともに、ＱｏＳ（サービス品質）の確保、柔軟性のある双方向通信の実現、通話中断率の低減を可能にする。
【０００３】
ＵＭＴＳ（ユニバーサル移動通信システム）準拠の第三世代移動通信システムは、ユーザー装置（ＵＥ）、地上無線アクセスネットワーク（ＵＴＲＡＮ）、及びコアネットワーク（ＣＮ）からなり、所用の通信プロトコルはＡＳ（アクセスストラタム）とＮＡＳ（非アクセスストラタム）に分けられる。ＡＳにはＲＲＣ（無線資源制御）、ＲＬＣ（無線リンク制御）、ＭＡＣ（媒体アクセス制御）、ＰＤＣＰ（パケットデータ収斂プロトコル）、ＢＭＣ（放送／マルチキャスト制御）など機能の異なる層が含まれる。
【０００４】
上記副層に関連して、３ＧＰＰは数種の通信プロトコルを制定している（詳しくはhttp://www.3gpp.orgを参照）。これらの通信プロトコルは、システム効率を向上させ、無線接続時の所要送信量を節減するため、種々の変数とパラメータについてデフォルト設定を規定している。しかしその中にも所要送信量を増加させ、システム効率を低下させるパラメータのデフォルト設定がないわけではない。例えば、3GPP  TS  25.331  V6.9.0によれば、アップリンク構成に属するリセットタイマーTimer_RSTのデフォルト値は３００ｍｓとされ、ダウンリンク構成に属する状態報告禁止タイマーTimer_Status_Prohibitのデフォルト値は１００ｍｓとされる。また、3GPP  TS  34.108  V6.2.0によると、アップリンク構成に属するリセットタイマーTimer_RSTのデフォルト値は５００ｍｓとされ、ポーリング禁止タイマーTimer_poll_ProhibitとポーリングタイマーTimer_pollのデフォルト値は２００ｍｓとされ、アップリンク構成に属する状態報告禁止タイマーTimer_Status_Prohibitのデフォルト値は２００ｍｓとされる。
【０００５】
リセットタイマーTimer_RST、状態報告禁止タイマーTimer_Status_Prohibit、ポーリング禁止タイマーTimer_poll_Prohibit及びポーリングタイマーTimer_pollはいずれもＲＬＣ（無線リンク制御）エンティティーのタイマーであり、応答信号を受ける前に制御信号（リセットＰＤＵ、状態ＰＤＵ、ポーリングＰＤＵ）の再送を一時禁止する場合に利用される。その定義と動作については３ＧＰＰが制定したＲＬＣ通信プロトコルを参照する。上記タイマーのデフォルト値はラウンドトリップ時間（ＲＴＴ、パケットを送信してから応答信号を受信するまでの時間）より大きいかそれに等しく設定しなければならない。もっとも、ユーザー端の正常動作を確保するため、上記タイマーのデフォルト値はＲＴＴよりやや大きく設定されることが一般である。
【０００６】
第三世代移動通信システムでは、リセットＰＤＵ、状態ＰＤＵ及びポーリングＰＤＵの処理にかかる時間がほぼ同じであるため、それに関するタイマーの値もほぼ同一に設定すべきである。しかし、3GPP  TS  25.331  V6.9.0と3GPP  TS  34.108  V6.2.0によるタイマーのデフォルト値は互いに異なっており、同じ仕様書に掲げられる個別のタイマー間もデフォルト値が異なるため、システムの効率が低下しかねない。
【０００７】
例えば3GPP  TS  25.331  V6.9.0によると、状態報告禁止タイマーTimer_Status_Prohibitは１００ｍｓとされる（ＲＴＴ＜１００ｍｓ）が、リセットタイマーTimer_RSTは３００ｍｓとされる。したがって、リセットＰＤＵに対応する肯定応答ＰＤＵ（RESET  ACK  PDU）が届いていなければ、送信端は３００ｍｓが経ってからリセットＰＤＵを再送するほかない。しかし、ＲＴＴ＜１００ｍｓである以上、RESET  ACK  PDUが１００ｍｓ以内に送信端に届かなければ、次の２００ｍｓの期間中に届く可能性もない。言い換えれば、リセットＰＤＵの再送には２００ｍｓの遅延が生じる。
【０００８】
同じく、3GPP  TS  34.108  V6.2.0によれば、状態報告禁止タイマーTimer_Status_Prohibit、ポーリング禁止タイマーTimer_poll_Prohibit及びポーリングタイマーTimer_pollは２００ｍｓとされる（ＲＴＴ＜２００ｍｓ）が、リセットタイマーTimer_RSTは５００ｍｓとされる。そのため、リセットＰＤＵの再送には３００ｍｓ（500-200=300）の遅延が生じる。
【発明の開示】
【発明が解決しようとする課題】
【０００９】
本発明は前述の問題を改善するため、無線通信システムにおいてタイマーのデフォルト値を設定する方法及び装置を提供することを課題とする。
【課題を解決するための手段】
【００１０】
本発明は、無線通信システムにおいて複数のタイマーのデフォルト値を設定する方法を提供する。該方法は、リセットタイマーのデフォルト値を第一値に設定し、状態報告禁止タイマー、ポーリング禁止タイマー、及びポーリングタイマーのデフォルト値を第二値に設定するステップからなる。
【００１１】
本発明は更に、無線通信システムにおいてタイマーのデフォルト値を設定する通信装置を提供する。該通信装置は、通信装置の機能を実現させる制御回路と、制御回路の中に設けられ、プログラムコードを実行して制御回路を制御する中央処理装置（ＣＰＵ）と、制御回路の中でＣＰＵと結合されるように設けられ、プログラムコードを保存するための保存装置とを含む。該プログラムコードは、リセットタイマーのデフォルト値を第一値に設定し、状態報告禁止タイマー、ポーリング禁止タイマー、及びポーリングタイマーのデフォルト値を第二値に設定するステップを含む。
【発明の効果】
【００１２】
本発明はRESET  ACK  PDU再送の待ち時間を短縮させ、更にリセットタイマーTimer_RST、状態報告禁止タイマーTimer_Status_Prohibit、ポーリング禁止タイマーTimer_poll_Prohibit、及びポーリングタイマーTimer_pollのデフォルト値を再定義することで、前記通信プロトコル間の不一致による問題を解消する。
【発明を実施するための最良の形態】
【００１３】
かかる方法及び装置の特徴を詳述するために、具体的な実施例を挙げ、図示を参照して以下に説明する。
【００１４】
図１を参照する。図１は無線通信システムの無線通信装置１００のブロック図である。説明を簡素化するため、図１は無線通信装置１００の入力装置１０２、出力装置１０４、制御回路１０６、ＣＰＵ（中央処理装置）１０８、保存装置１１０、プログラムコード１１２及びトランシーバー１１４のみ描くとする。無線通信装置１００では、制御回路１０６はＣＰＵ１０８で保存装置１１０に保存されるプログラムコード１１２を実行して無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６からの信号を無線で出力する。言い換えれば、通信プロトコルに当てはめれば、トランシーバー１１４は第一層の一部とみなされ、制御回路１０６は第二層と第三層の機能を実現させる。
【００１５】
図２を参照する。図２は図１に示すプログラムコード１１２を表す説明図である。アプリケーション層２００と、第三層インターフェイス２０２と、第二層インターフェイス２０６からなるプログラムコード１１２は、第一層インターフェイス２１８と接続されている。信号を発するとき、第二層インターフェイス（ＲＬＣ層）２０６は第三層インターフェイス２０２によって出力されたデータに基づいて複数のＳＤＵ２０８を生成してバッファ２１２に保存する。その後、第二層インターフェイス２０６はバッファ２１２に保存されたＳＤＵ２０８に基づいて複数のＰＤＵ２１４を生成し、第一層インターフェイス２１８を介して送信先に出力する。それに反して、無線信号を受信するときは第一層インターフェイス２１８で信号を受信し、これをＰＤＵ２１４形式で第二層インターフェイス２０６に出力する。第二層インターフェイス２０６はＰＤＵ２１４をＳＤＵ２０８に還元してバッファ２１２に保存してから、バッファ２１２に保存されたＳＤＵを第三層インターフェイス２０２に送信する。
【００１６】
無線通信装置１００は望ましくは３ＧＰＰ通信プロトコルに準拠する。本発明はタイマーデフォルト値設定プログラムコード２２０で、状態報告禁止タイマーTimer_Status_Prohibit、ポーリング禁止タイマーTimer_poll_Prohibit、ポーリングタイマーTimer_poll、及びリセットタイマーTimer_RSTのデフォルト値を設定し、リセット時の遅延を改善して送信効率を向上させる。
【００１７】
図３を参照する。図３は本発明による方法のフローチャート３０である。下記方法は無線通信システムにおいて複数のタイマーのデフォルト値を設定するために用いられ、タイマーデフォルト値設定プログラムコード２２０としてコンパイルすることができる。
ステップ３００：開始。
ステップ３０２：リセットタイマーTimer_RSTのデフォルト値を第一値に設定する。
ステップ３０４：状態報告禁止タイマーTimer_Status_Prohibit、ポーリング禁止タイマーTimer_poll_Prohibit、及びポーリングタイマーTimer_pollのデフォルト値を第二値に設定する。
ステップ３０６：終了。
以上のとおり、本発明はリセットタイマーTimer_RSTのデフォルト値を第一値に設定し、状態報告禁止タイマーTimer_Status_Prohibit、ポーリング禁止タイマーTimer_poll_Prohibit、及びポーリングタイマーTimer_pollのデフォルト値を第二値に設定する。第一値と第二値はＲＴＴより大きいかそれに等しく設定されることが望ましく、両者の値は同じであるかまたは互いに異なっている。
【００１８】
例えば、第一値と第二値がＲＴＴよりやや大きい同一値（例えば２００ｍｓまたは１００ｍｓ）であれば、リセットタイマーTimer_RSTの終了前にRESET  ACK  PDUが届いていなければ、送信端はリセットＰＤＵを再送する。リセットタイマーTimer_RSTはＲＴＴよりやや大きく設定されているため、RESET  ACK  PDU再送の待ち時間が短くなり、リセットプロセスは適時に実行できる。もっとも、信号妨害による送信遅延を防止するため、第一値を第二値より大きく設定し（例えば第一値を３００ｍｓとし、第二値を２００ｍｓとする）、すなわちリセットタイマーTimer_RSTのデフォルト値を、状態報告禁止タイマーTimer_Status_Prohibit、ポーリング禁止タイマーTimer_poll_Prohibit及びポーリングタイマーTimer_pollのデフォルト値より大きく設定することが可能である。
【００１９】
したがって、本発明はRESET  ACK  PDU再送の待ち時間を短縮させ、更にリセットタイマーTimer_RST、状態報告禁止タイマーTimer_Status_Prohibit、ポーリング禁止タイマーTimer_poll_Prohibit、及びポーリングタイマーTimer_pollのデフォルト値を再定義することで、前記通信プロトコル間の不一致による問題を解消する。
【００２０】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００２１】
本発明は従来の動作条件に変更を加えたのみであり、当然実施可能である。
【図面の簡単な説明】
【００２２】
【図１】無線通信システムの無線通信装置のブロック図である。
【図２】図１に示すプログラムコードを表す説明図である。
【図３】本発明による方法のフローチャートである。
【符号の説明】
【００２３】
１００  無線通信装置
１０２  入力装置
１０４  出力装置
１０６  制御回路
１０８  ＣＰＵ
１１０  保存装置
１１２  プログラムコード
１１４  トランシーバー
２００  アプリケーション層
２０２  第三層インターフェイス
２０６  第二層インターフェイス
２０８  ＳＤＵ
２１２  バッファ
２１４  ＰＤＵ
２１８  第一層インターフェイス
２２０  タイマーデフォルト値設定プログラムコード
【図１】
2007300647.tif 000003
【図２】
2007300647.tif 000004
【図３】
2007300647.tif 000005